(57)【特許請求の範囲】
【請求項１】
室内側の側壁部と室外側の側壁部およびそれら双方の側壁部を接続する底壁部とで断面略チャンネル状に形成されているとともに、それぞれの側壁部の先端からチャンネル状空間の内方に向けてシールリップが突出形成されていて、ドアサッシュのチャンネル部に嵌合保持された状態でドアガラスを昇降可能に案内支持するドアグラスランであって、
上記室内側の側壁部と底壁部との間に形成された斜状壁部と、
上記底壁部の外面側であって且つ当該底壁部に対するドアガラスの当接位置よりも室内側に突出形成されていて、ドアサッシュのチャンネル部における内底面に当接することで底壁部とドアサッシュのチャンネル部との間に空隙部を形成する突起部と、
上記室内側の側壁部の外面側において斜状壁部を延長するように突出形成されていて、ドアサッシュのチャンネル部における室内側の段状部に係止される室内側保持リップと、
上記室内側の側壁部と斜状壁部との接続部に内面が凹状に窪んだ局部的な肉厚減少部として形成された屈曲容易部と、
上記斜状壁部の外面側であって且つ突起部よりも室内側に突出形成されていて、ドアサッシュのチャンネル部における内底面に当接する底部シールリップと、
を備えていて、
上記室内側の側壁部が屈曲容易部からチャンネル状空間の内方に向けて折り曲げ可能となっていることを特徴とするドアグラスラン。
【請求項２】
上記突起部は底壁部と斜状壁部との接続部に形成されていることを特徴とする請求項１に記載のドアグラスラン。
【請求項３】
上記底壁部と斜状壁部との接続部に別の屈曲容易部が形成されていることを特徴とする請求項２に記載のドアグラスラン。
【請求項４】
上記別の屈曲容易部は、底壁部と斜状壁部との接続部の内面が凹状に窪んだ局部的な肉厚減少部として形成されていることを特徴とする請求項３に記載のドアグラスラン。
【請求項５】
上記室外側の側壁部の外面側にドアサッシュの室外側の段状部に係止される室外側保持リップが突出形成されていることを特徴とする請求項４に記載のドアグラスラン。
【請求項６】
上記室内側の側壁部と斜状壁部との接続部に形成された屈曲容易部に近接して金属製のワイヤが埋設されていることを特徴とする請求項１〜５のいずれか一つに記載のドアグラスラン。
【発明の詳細な説明】
【技術分野】
【０００１】
本発明は、自動車用ドアにおけるドアサッシュの内周に装着されて、ドアガラスを昇降可能に案内支持しつつドアガラス閉時のシール性を確保するためのドアグラスランの改良に関する。
【背景技術】
【０００２】
周知のように、この種のドアグラスランの構造においては、例えばドアサッシュ上辺部の断面図である図５に示すように、室内側の側壁部５１と室外側の側壁部５２およびそれら双方の側壁部５１，５２を接続する底壁部５３とで断面略チャンネル状に形成されているとともに、それぞれの側壁部５１，５２の先端からチャンネル状空間の内方に向けてシールリップ５４，５５が突出形成されていて、ドアグラスラン５０がドアサッシュ５６に嵌合保持された状態でドアガラスＧを昇降可能に案内支持するものである。
【０００３】
そして、室内側の側壁部５１と底壁部５３とのなすコーナー部に着目した場合、ドアサッシュ５６の内底面に当接する底部シールリップ５７およびドアサッシュ５６の段状部５８に係止される保持リップ５９とは別に、底壁部５３にドアガラスＧが当接した際の打音の緩衝を目的として、底壁部５３の外面側において打音緩衝リップ６０を突設することがある。この打音緩衝リップ６０は、底壁部５３の外面側において当該底壁部５３に対するドアガラスＧの当接位置よりも室内側に設定され、この打音緩衝リップ６０の存在のために底壁部５３とドアサッシュ５６の内底面との間には所定の空隙６１が確保される。なお、上記打音緩衝リップ６０を有するドアグラスランは特許文献１に開示されている。
【先行技術文献】
【特許文献】
【０００４】
【特許文献１】特開２００６−２８１８３３号公報
【発明の概要】
【発明が解決しようとする課題】
【０００５】
しかしながら、図５に示したドアグラスラン５０の構造では、底部シールリップ５７や保持リップ５９に加えて打音緩衝リップ６０があるために、特に室内側の側壁部５１と底壁部５３とのなすコーナー部での断面剛性が相対的に高いものとなり、ドアサッシュ５６に対するドアグラスラン５０の組付性が極端に悪くなるという二次的不具合が発生する。
【０００６】
より具体的には、ドアサッシュ５６に対するドアグラスラン５０の組み付けに際しては、先ずドアグラスラン５０を内側に押し潰すように弾性変形させながらドアサッシュ５６のチャンネル状空間に押し込み、次いで相対的に薄肉で剛性感の低い室外側の側壁部５２を正規位置に着座させるように嵌合させることになる。この段階では、底壁部５３および室内側の側壁部５１はなおも不完全な嵌合状態にあることから、最後に相対的に厚肉で剛性感の高い室内側の側壁部５１を図５の矢印Ｑ方向に押し込んで底壁部５３とともに正規嵌合状態とすることになる。
【０００７】
その際に、底部シールリップ５７の撓み反力に加えて、ドアサッシュ５６の内底面に対する打音緩衝リップ６０の底突きに伴う反力が矢印Ｑ方向の押し込み力に対抗するかたちとなり、特に矢印Ｑ方向の押し込み力が保持リップ５９に挿入力として効果的に伝わらないことになる。その結果、保持リップ５９がドアサッシュ５６側の段状部５８を乗り越えることができず、保持リップ５９を段状部５８に正しく係止させることができないことになる。
【０００８】
したがって、保持リップ５９を段状部５８に正しく係止させる手段として例えばヘラ状の治具を用い、室内側の側壁部５１と底壁部５３とのなすコーナー部を斜め方向（矢印Ｒ方向）に無理押しする以外に方法がなく、ドアサッシュ５６に対するドアグラスラン５０組付性が極端に悪いものとなっているのが実情である。
【０００９】
本発明はこのような課題に着目してなされたものであり、先に述べたような打音緩衝リップが付帯するドアグラスランについて、ドアサッシュに対する組付性を改善した構造を提供するものである。
【課題を解決するための手段】
【００１０】
請求項１に記載の発明は、室内側の側壁部と室外側の側壁部およびそれら双方の側壁部を接続する底壁部とで断面略チャンネル状に形成されているとともに、それぞれの側壁部の先端からチャンネル状空間の内方に向けてシールリップが突出形成されていて、ドアサッシュのチャンネル部に嵌合保持された状態でドアガラスを昇降可能に案内支持するドアグラスランである。
【００１１】
その上で、上記室内側の側壁部と底壁部との間に形成された斜状壁部と、上記底壁部の外面側であって且つ当該底壁部に対するドアガラスの当接位置よりも室内側に突出形成されていて、ドアサッシュのチャンネル部における内底面に当接することで底壁部とドアサッシュのチャンネル部との間に空隙部を形成する突起部と、上記室内側の側壁部の外面側において斜状壁部を延長するように突出形成されていて、ドアサッシュのチャンネル部における室内側の段状部に係止される室内側保持リップと、上記室内側の側壁部と斜状壁部との接続部に内面が凹状に窪んだ局部的な肉厚減少部として形成された屈曲容易部と、上記斜状壁部の外面側であって且つ突起部よりも室内側に突出形成されていて、ドアサッシュのチャンネル部における内底面に当接する底部シールリップと、を備えている。そして、上記室内側の側壁部が屈曲容易部からチャンネル状空間の内方に向けて折り曲げ可能となっていることを特徴とするものである。
【００１４】
この場合において、請求項２に記載のように、上記突起部は底壁部と斜状壁部との接続部に形成されているものとする。
【００１５】
また、請求項３に記載のように、上記底壁部と斜状壁部との接続部に別の屈曲容易部が形成されていても良い。
【００１６】
この場合において、請求項４に記載のように、上記別の屈曲容易部は、底壁部と斜状壁部との接続部の内面が凹状に窪んだ局部的な肉厚減少部として形成されているものとする。
【００１７】
さらに、請求項５に記載のように、上記室外側の側壁部の外面側にドアサッシュの室外側の段状部に係止される室外側保持リップが突出形成されていても良い。
【００１８】
加えて、請求項６に記載のように、上記室内側の側壁部と斜状壁部との接続部に形成された屈曲容易部に近接して、例えばドアグラスランの長手方向での縮み防止のための金属製のワイヤが埋設されていても良い。
【００１９】
したがって、少なくとも請求項１に記載の発明では、室内側の側壁部を屈曲容易部からチャンネル状空間の内方に向けて折り曲げた状態で当該室内側の側壁部に押し込み力を加えると、その押し込み力は室内側の保持リップに直接伝わることから、底壁部側の突起部の存在に左右されることなく、その室内側の保持リップはドアサッシュのチャンネル部における室内側の段状部を簡単に乗り越えることが可能である。これにより、室内側の保持リップは室内側の段状部を乗り越えた時点で直ちにその室内側の段状部に正しく係止されることになる。
【発明の効果】
【００２０】
請求項１に記載の発明によれば、底壁部側の突起部の存在に左右されることなく、室内側の保持リップを室内側の段状部に容易に係止させることができるので、ドアサッシュに対するドアグラスランの組付性が大幅に向上する。
【００２１】
また、屈曲容易部が、室内側の側壁部と斜状壁部との接続部の内面が凹状に窪んだ局部的な肉厚減少部として形成されていることにより、室内側の側壁部を屈曲容易部からチャンネル状空間の内方に向けて折り曲げる際の折り曲げ容易性に優れたものとなるほか、斜状壁部に底部シールリップが突出形成されていることにより、シール性を確保できる。
【００２３】
請求項２に記載の発明によれば、ドアサッシュに対するドアグラスランのクッション性を確保でき、ドアガラスが当接した際の打音の発生を抑制または緩和できる。
【００２４】
請求項３に記載の発明によれば、底壁部と斜状壁部との接続部に別の屈曲容易部が形成されていることにより、ドアグラスランを押し潰すように撓み変形させて最初にドアサッシュに挿入する際の挿入容易性に優れたものとなる。
【００２５】
請求項４に記載の発明によれば、別の屈曲容易部が、底壁部と斜状壁部との接続部の内面が凹状に窪んだ局部的な肉厚減少部として形成されていることにより、上記挿入容易性が一段と優れたものとなる。
【００２６】
請求項５に記載の発明によれば、室外側の側壁部の外面側にドアサッシュの室外側の段状部に係止される室外側保持リップが突出形成されていることにより、ドアサッシュに対すドアグラスランの嵌合保持性が一段と良好なものとなる。
【００２７】
請求項６に記載の発明によれば、室内側の側壁部と斜状壁部との接続部に形成された屈曲容易部に近接して金属製のワイヤが埋設されていることにより、ワイヤ埋設部位の剛性が高められていて、室内側の側壁部の押し込み力をより確実に室内側の保持リップに伝えることができ、室内側の段状部に対する室内側の保持リップの係止が容易に且つより確実に行えるようになる。
【図面の簡単な説明】
【００２８】
【図１】自動車のフロントドアの概略説明図。
【図２】本発明を実施するためのより具体的な第１の形態を示す図で、図１のＡ−Ａ線に沿う拡大断面図。
【図３】図２に示すドアグラスランの組付時の挙動を示す説明図。
【図４】打音緩衝リップを備えるドアグラスランの一例を示す断面説明図。
【発明を実施するための形態】
【００２９】
図１，２は本発明を実施するためのより具体的な形態を示し、図１は自動車のフロントドアの概略説明図を、図２は図１のＡ−Ａ線に沿う拡大断面図をそれぞれ示している。すなわち、図２は、ドア本体２とそのドアウエスト部２ａから上方のアーチ状のドアサッシュ３とからなる図１のフロントドア１において、車体側のルーフ部に沿うかたちとなるサッシュ上辺部３ａでの拡大断面図を示している。なお、ここでは、サッシュ縦辺部３ｂでの断面形状については特に問わないものとする。
【００３０】
図２に示すように、ドアサッシュ３のサッシュ上辺部３ａはロールフォーミングにより所定の断面形状に成形されたものであって、開放側の溝幅よりも奥部側の溝幅の方が大きいドアグラスラン嵌合溝部として機能するチャンネル部４が曲折形成されている。チャンネル部４の室内側の面には張り出し部５をもってその上部に室内側の係止段状部５ａが、室外側の面には極太の端末部６をもってその上部に室外側の係止段状部６ａがそれぞれに形成されている。そして、このチャンネル部４にドアグラスラン７が嵌合保持されることになる。
【００３１】
ドアグラスラン７は、周知のように、室内側の側壁部８と室外側の側壁部９およびそれら双方の側壁部８，９を接続する底壁部１０とで断面略チャンネル状に形成されているとともに、それぞれの側壁部８，９の先端からチャンネル状空間の内方に向けてインナ側，アウタ側のそれぞれのシールリップ１１，１２が斜めに突出形成されている。そして、後述する室内側保持リップ２２が室内側の係止段状部５ａに、室外側保持リップ２０が室外側の係止段状部６ａにそれぞれ係止されるようにして、ドアグラスラン７がドアサッシュ３に嵌合保持されて、この状態でドアグラスラン７のチャンネル状空間で受容したドアガラスＧを昇降可能に案内支持するとともに、ドアガラスＧ閉時のシール性を確保するようになっている。
【００３２】
室内側の側壁部８は室外側の側壁部９および底壁部１０に比べて相対的に厚肉のものとして形成されているとともに、同様に室内側のシールリップ１１は室外側のシールリップ１２に比べて厚肉のものとして形成されていて、図２から明らかなように、室外側に偏った状態でチャンネル状空間にドアガラスＧを受容することになる。なお、室内側の側壁部８の先端には室内側のシールリップ１１と逆向きにカバーリップ１３が突出形成されていて、同様に室外側の側壁部９の先端には室外側のシールリップ１２と逆向きにカバーリップ１４が突出形成されている。これらのカバーリップ１３，１４はチャンネル状空間の開放端においてそれぞれドアサッシュ３に圧接することになる。
【００３３】
室外側の側壁部９と底壁部１０とはノッチ部１５による局部的な肉厚減少部にて接続されている一方、室内側の側壁部８と底壁部１０とは両者の間に介在する斜状壁部１６を介して相互に接続されている。この斜状壁部１６はその内外面共に底壁部１０および室内側の側壁部８に対して所定角度だけ傾斜していて、室内側の側壁部８から底壁部１０側に向かってその肉厚が漸次小さくなるように徐変している。そして、室内側の側壁部８と斜状壁部１６との接続部では、その内面側が凹状に窪んだ局部的な肉厚減少部として形成されていて、この肉厚減少部が斜状壁部１６に対する室内側の側壁部８の屈曲容易部１７として機能するようになっている。つまり、屈曲容易部１７と後述する室内側保持リップ２２の根元部とのなす肉厚が最も小さいものとなっている。
【００３４】
同様に、斜状壁部１６と底壁部１０との接続部では、斜状壁部１６の最小肉厚部が内面側に段差をもった状態で接続されていることにより、実質的にその内面側が凹状に窪んだ局部的な肉厚減少部として形成されていて、この肉厚減少部が底壁部１０に対す斜状壁部１６の屈曲容易部１８として機能するようになっている。
【００３５】
室外側の側壁部９の根元側にはドアサッシュ３の内底面３ｂに向かって比較的厚肉の膨出部１９が突出形成されているほか、室外側の側壁部９の外面には室外側保持リップ２０とともにサブシールリップ２１が突出形成されている。そして、サブシールリップ２１がチャンネル部４の内面に圧接しつつ室外側保持リップ２０が室外側の係止段状部６ａに係止され、且つ先に述べた室外側のカバーリップ１４がドアサッシュ３の開放側の端縁に圧接することで、少なくとも室外側の側壁部９はドアサッシュ３の正規位置に対して嵌合保持されることになる。
【００３６】
他方、斜状壁部１６の外面側においては、その外面をそのまま室内側の側壁部８に向かって延長するようにして図２の斜め下向きに室内側保持リップ２２が突出形成されているとともに、斜状壁部１６の外面側であって且つ底壁部１０に近い部分から図２の斜め上向きに底部シールリップ２３が突出形成されている。
【００３７】
そして、底部シールリップ２３がチャンネル部４の内底面３ｂに圧接しつつ室内側保持リップ２２が室内側の係止段状部５ａに係止され、且つ先に述べた室内側のカバーリップ１３がドアサッシュ３の開放側の端縁に圧接することで、少なくとも室内側の側壁部８はドアサッシュ３の正規位置に対して嵌合保持されることになる。
【００３８】
以上の説明で明らかなように、底部シールリップ２３の撓み変形に基づく反力のほか、室内側，室外側のそれぞれのカバーリップ１３，１４の撓み変形に基づく反力を受けて、室外側保持リップ２０が室外側の係止段状部５６ａに、室内側保持リップ２２が室内側の係止段状部５ａに、それぞれ押し付けられるようにしていわゆる引っ掛かりの関係となって係止されることになる。
【００３９】
また、底壁部１０の外面側であって且つ当該底壁部１０に対するドアガラスＧの当接位置よりも室内側、より具体的には底壁部１０の外面側であって底部シールリップ２３に近い部分、すなわち室内側の斜状壁部１６と底壁部１０との接続部に相当する位置には、当該底壁部１０から直立する突起部としての打音緩衝リップ２４がビード状に突出形成されている。この打音緩衝リップ２４は、底壁部１０に対して底突きするようなかたちでドアガラスＧが当接した際の打音の発生を抑制または緩和する機能を有するものである。これらの打音緩衝リップ２４や先に述べた膨出部１９があることによって、底壁部１０とドアサッシュ３の内底面３ｂとの間には所定の間隙２５が確保されることになる。
【００４０】
ただし、ドアサッシュ３に対するドアグラスラン７の正規嵌合状態では、先に述べたように室外側保持リップ２０、室内側保持リップ２２、双方のカバーリップ１３，１４および底部シールリップ２３のそれぞれの撓み変形に基づく反力をもって弾性的に嵌合支持されているので、設計上は膨出部１９および打音緩衝リップ２４がドアサッシュ３の内底面３ｂに当接しないように設定されている。
【００４１】
なお、図２から明らかなように、室内側の側壁部８と斜状壁部１６との接続部であって屈曲容易部１７の直近位置には、ドアグラスラン７そのものの縮み防止のために長手方向に沿って金属製のワイヤ２６を埋設してある。同様に、室外側の側壁部９のうち室外側保持リップ２０の根元部に相当する位置にも長手方向に沿って金属製のワイヤ２７を埋設してある。
【００４２】
ここで、ドアグラスラン７自体は、例えばＴＰＯと称されるオレフィン系熱可塑性エラストマー、具体的にはポリプロピレン（ＰＰ）にＥＰＤＭをブレンドした熱可塑性エラストマーにより形成される。
【００４３】
したがって、このように構成されたドアグラスラン７をドアサッシュ３に嵌合保持させるにあたっては、図２のほか図３に示すように、先ずドアグラスラン７を内側に押し潰すように弾性変形させながらドアサッシュ３のチャンネル状空間に押し込み、次いで相対的に薄肉で剛性感の低い室外側の側壁部９を正規位置に着座させるように嵌合させる。つまり、膨出部１９をドアサッシュ３の内底面３ｂに突き当てながら室外側保持リップ２０を室外側の係止段状部６ａに係止させるとともに、室外側のカバーリップ１４をチャンネル部４の開口縁に係止させる。この段階では、斜状壁部１６を含む底壁部１０および室内側の側壁部８はなおも不完全な嵌合状態にあり、特に室内側保持リップ２２については室内側の係止段状部５ａに対して正しく係止された状態にはない。
【００４４】
そこで、図３に示すように、底壁部１０や斜状壁部１６が不完全な嵌合状態にあることを前提に、室内側の側壁部８を斜状壁部１６との接続部である屈曲容易部１７を曲げ位置としてドアグラスラン７自体のチャンネル状空間の内方に屈曲変位させる。つまり、図３に示すように、室内側の側壁部８を一旦ドアサッシュ３側の張り出し部５から遠ざけるように折り曲げて斜めの姿勢とする。そして、室内側の側壁部８が斜めの姿勢のままで当該室内側の側壁部８の断面における長手方向に押し込み力Ｆを付与し、斜状壁部１６に直接押し込み力Ｆを加える。こうすることにより、室内側の側壁部８によって付与された押し込み力Ｆが斜状壁部１６に効果的に伝わり、底部シールリップ２３を一段と大きく撓み変形させながら斜状壁部１６が押し込まれて、その斜状壁部１６から突出形成されている室内側保持リップ２２が無理なく室内側の係止段状部５ａを乗り越えて、引っ掛かりの関係をもってその室内側の係止段状部５ａに正しく係止されることになる。特に屈曲容易部１７の近傍には予め金属製のワイヤ２６を埋設してあることにより剛性が高められており、室内側の側壁部８に加えられた押し込み力Ｆを斜状壁部１６や室内側保持リップ２２に伝えやすくなる。
【００４５】
その後、室内側の側壁部８を張り出し部５に沿わせるように図３の矢印Ｍ方向に戻した上で、室内側のカバーリップ１３をチャンネル部４の開口縁部に係止させることによって、図２のような正しい嵌合保持状態となる。
【００４６】
このように本実施の形態によれば、底壁部１０に突起部として打音緩衝リップ２４が突出形成されてはいても、室内側の側壁部８を屈曲容易部１７から折り曲げて力を加えることにより、打音緩衝リップ２４が障害となることなしに斜状壁部１６や室内側保持リップ２２を正しい位置に容易に収めることができ、ドアサッシュ３に対するドアグラスラン７の組付性がきわめて良好なものとなる。
【符号の説明】
【００４９】
３…ドアサッシュ
５ａ…室内側の係止段状部
６ａ…室外側の係止段状部
７…ドアグラスラン
８…室内側の側壁部
９…室外側の側壁部
１０…底壁部
１１…室内側のシールリップ
１２…室外側のシールリップ
１６…斜状壁部
１７…屈曲容易部
１８…屈曲容易部
２０…室外側保持リップ
２２…室内側保持リップ
２３…底部シールリップ
２４…打音緩衝リップ（突起部）
２５…空隙部
２６…ワイヤ
Ｇ…ドアガラス
【図１】
0005670767.tif 000002
【図２】
0005670767.tif 000003
【図３】
0005670767.tif 000004
【図４】
0005670767.tif 000005